(57)【要約】【課題】心磁図データに基づく新たな解析方法を用いることができる心磁図装置の提供【解決手段】装置全体が設置された磁気シールドルームと、心臓内に発生した電流に伴って発生する磁気を心臓全体が計測面に十分入る位置関係に設けられた磁気センサアレイと、被験者を横臥、或いは座位にするためのベッドと、磁気センサアレイを駆動し、磁気センサアレイにより得られた多チャンネル心磁図の磁場波形を計測する計測制御回路部と、磁気センサアレイから得られた磁場波形を疑似電流波形に変換する第一のデータ処理部と、前記磁気センサアレイから得られた磁場波形を収録し解析する第二のデータ処理部を収録する演算処理装置と、磁場波形と疑似電流波形を含む心磁図データを時間的に重ね書きしたものを表示する表示手段とを備えることを特徴とする心磁図装置とする。【選択図】図１
2016101264.tif 000002
【特許請求の範囲】
【請求項１】
装置全体が設置された磁気シールドルームと、
心臓内に発生した電流に伴って発生する磁気を心臓全体が計測面に十分入る位置関係に設けられた磁気センサアレイと、
被験者を横臥、或いは座位にするためのベッドと、
前記磁気センサアレイを駆動し、前記磁気センサアレイにより得られた多チャンネル心磁図の磁場波形を計測する計測制御回路部と、
前記磁気センサアレイから得られた磁場波形を疑似電流波形に変換する第一のデータ処理部と、前記磁気センサアレイから得られた磁場波形を収録し解析する第二のデータ処理部を収録する演算処理装置と、
前記磁場波形と前記疑似電流波形を含む心磁図データを時間的に重ね書きしたものを表示する表示手段と、
を備えることを特徴とする心磁図装置。
【請求項２】
前記演算処理装置は、前記計測制御回路部で記録された磁場波形または前記第一のデータ処理部により解析された疑似電流波形を色分けする色分け処理部を収録し、
この色分けは、赤色、緑色、青色からなるＲＧＢカラーモデルによる輝度により表現され、前記磁気センサアレイの各センサは夫々チャンネル番号を有し、各磁気センサに対応する波形の輝度は、最小を０、最大を１としたとき、図５記載の別表色体系により表現することを特徴とする請求項１記載の心磁図装置。
【請求項３】
前記磁場波形または前記疑似電流波形を同期加算平均する計算手段を備え、
前記計算手段は、前記磁気センサアレイにより測定されたＱＲＳ波の相互相関関数を計算し、該相互相関関数が最大になる時間を用いて同期させることにより、同期加算平均を計算することを特徴とする請求項１又は２記載の心磁図装置。
【請求項４】
心臓内に発生した電流の分裂を判定する判定手段を備え、
前記表示手段は、心臓内に発生した電流の向きと電流量をベクトルで表示し、
前記磁気センサアレイにより得られる夫々の心臓内に発生した電流の電流値において、最大値と同程度の電流を主電流とし、電流値が前記主電流の６０％以上である電流を有効電流とし、
前記判定手段は、各時相において、主電流と有効電流のベクトルのなす角度が４５度以上である場合、又は各主電流のベクトルの角度が４５度以上異なる場合、又は各有効電流のベクトルの角度が４５度以上異なる場合に心臓内に発生した電流が分裂していると判定することを特徴とする請求項３記載の心磁図装置。
【請求項５】
心臓内に発生した脱分極電流の終了を判断する判断手段を備え、
前記判断手段は、前記磁気センサアレイにより測定されるＱＲＳ波の全時相における全ての測定箇所における疑似電流波形の最大振幅が６〜８％以下となる時点において、脱分極過程が終了したと判断することを特徴とする請求項３記載の心磁図装置。
【発明の詳細な説明】
【技術分野】
【０００１】
本発明は、心磁図データに基づく新たな解析方法を用いることができる心磁図装置に関する。
【背景技術】
【０００２】
心臓は、全身に血液を送り出すために収縮と弛緩をくりかえしており、この規則的な機械運動の生成には、心臓の規則的な電気的興奮が大きく関与している。心臓病の診断には心臓内の電気活動の異常を検知することが重要であり、これまで心臓の調律、肥大、梗塞、異常伝導などを検知するために心電図が広く用いられている。
【０００３】
心電図は心臓内で発生した電流が、心臓外（たとえば胸部）に伝搬したものを体表の２点間の電位差として検出したものである。心臓内では複数の電流が同時に発生して移動しており、心電図では、心臓外に伝搬したものを検出するためにこの複数の電流を分離するのが困難であった。また胸部には種々の電気伝導度の異なる媒質があり、胸郭の大部分を占め空気を多く含む肺や、脂肪、骨は電気伝導度が低く、血液や心筋、骨格筋は伝導度が高い。そのため心電図ではこのような歪んだ電位差を測定している。
【０００４】
心臓内に発生した電流をより正確に検出する方法として、電流に伴って発生する磁気を高感度磁気センサ等にて、磁気シールド内で検出する心磁図を用いる方法がある。心磁図では、磁気センサを複数（たとえば６４チャンネル）用いることにより心臓内の複数の電流を空間的時間的に高い分解能で検知でき、磁気センサは体表に対し非接触で検出できるので、多くのセンサ信号を用いても簡便に測定できる。
【０００５】
しかしながら、心磁図により測定された多チャンネルで記録された心磁図データを心臓電気生理学の知識に照らし合わせ、効率よく解析するためには新たな解析方法を取り入れる必要がある。
【０００６】
非特許文献１及び非特許文献２には、多チャンネル心磁図の磁場波形から疑似電流波形を計算する解析方法が記載されている。この解析方法では、２次元各点における法線方向磁場の勾配ベクトル（グラディアントベクトル、各点での磁場の空間偏微分から求めたベクトル）を９０度右に回転させることによって、疑似電流ベクトルを得ている。疑似電流ベクトルの大きさを２次元に等高線および色調にて表示し、疑似電流ベクトルを矢印の向きと大きさで重ねて表示することによって解析を容易にすることができる。また疑似電流ベクトルの大きさの時間変化を測定位置ごとに表示したものをベクトル絶対値波形として用いることにより、効率良く解析することができる。
【先行技術文献】
【非特許文献】
【０００７】
【非特許文献１】Hosaka H, Cohen D, J Electrocardiol 1976; 9(4): 426-432
【非特許文献２】Tsukada K, Kandori A, Miyashita T, et al. 1998; Proceedings of the 20th Annual International Conference of the IEEE/EMBS
【発明の概要】
【発明が解決しようとする課題】
【０００８】
しかしながら、心磁図データから多くの空間的時間的情報が得られるものの、上記した解析方法は、心磁図データの一部を利用するにすぎず、心磁図で測定された多チャンネルで記録され、多くの空間的時間的情報が得られる心磁図データをより有効に利用するためには、新たな解析方法が必要とされている。
【課題を解決するための手段】
【０００９】
本発明は、上記した課題を解決するためになされてものであり、心磁図データに基づく新たな解析方法を用いることができる心磁図装置を提供することを目的とする。
【００１０】
請求項１に係る発明は、装置全体が設置された磁気シールドルームと、心臓内に発生した電流に伴って発生する磁気を心臓全体が計測面に十分入る位置関係に設けられた磁気センサアレイと、被験者を横臥、或いは座位にするためのベッドと、前記磁気センサアレイを駆動し、前記磁気センサアレイにより得られた多チャンネル心磁図の磁場波形を計測する計測制御回路部と、前記磁気センサアレイから得られた磁場波形を疑似電流波形に変換する第一のデータ処理部と、前記磁気センサアレイから得られた磁場波形を収録し解析する第二のデータ処理部を収録する演算処理装置と、前記磁場波形と前記疑似電流波形を含む心磁図データを時間的に重ね書きしたものを表示する表示手段とを備えることを特徴とする心磁図装置に関する。
【００１１】
請求項２に係る発明は、前記演算処理装置は、前記計測制御回路部で記録された磁場波形または前記第一のデータ処理部により解析された疑似電流波形を色分けする色分け処理部を収録し、この色分けは、赤色、緑色、青色からなるＲＧＢカラーモデルによる輝度により表現され、前記磁気センサアレイの各センサは夫々チャンネル番号を有し、各磁気センサに対応する波形の輝度は、最小を０、最大を１としたとき、図５記載の別表色体系により表現することを特徴とする請求項１記載の心磁図装置に関する。
【００１２】
請求項３に係る発明は、前記磁場波形または前記疑似電流波形を同期加算平均する計算手段を備え、前記計算手段は、前記磁気センサアレイにより測定されたＱＲＳ波の相互相関関数を計算し、該相互相関関数が最大になる時間を用いて同期させることにより、同期加算平均を計算することを特徴とする請求項１又は２記載の心磁図装置に関する。
【００１３】
請求項４に係る発明は、心臓内に発生した電流の分裂を判定する判定手段を備え、前記表示手段は、心臓内に発生した電流の向きと電流量をベクトルで表示し、前記磁気センサアレイにより得られる夫々の心臓内に発生した電流の電流値において、最大値と同程度の電流を主電流とし、電流値が前記主電流の６０％以上である電流を有効電流とし、前記判定手段は、各時相において、主電流と有効電流のベクトルのなす角度が４５度以上である場合、又は各主電流のベクトルの角度が４５度以上異なる場合、又は各有効電流のベクトルの角度が４５度以上異なる場合に心臓内に発生した電流が分裂していると判定することを特徴とする請求項３記載の心磁図装置。
【００１４】
請求項５に係る発明は、心臓内に発生した脱分極電流の終了を判断する判断手段を備え、前記判断手段は、前記磁気センサアレイにより測定されるＱＲＳ波の全時相における全ての測定箇所における疑似電流波形の最大振幅が６〜８％以下となる時点において、脱分極過程が終了したと判断することを特徴とする請求項３記載の心磁図装置に関する。
【発明の効果】
【００１５】
本発明によれば、磁気センサアレイにより測定された心磁図データ（磁場波形）を磁気センサアレイの各センサが設けられる位置に基づいて、夫々を系統的に色付けし、時間的に重ね書きすることで、異常応答の検出や異常の生じた領域を容易に同定することができる。この方法によって心臓の脱分極過程が延長した場合、主としてどの領域の脱分極が遅延しているのか、また、心臓の再分極の不均一性についての情報なども容易に知ることができる。
【００１６】
本発明によれば、計算手段は、磁気センサアレイにより測定されたＱＲＳ波の相互相関関数を計算し、該相互相関関数が最大になる時間を用いて同期させることにより、同期加算平均を計算することから、正確な同期加算平均が計算でき、解析の精度が向上する。たとえばＱＲＳ波の精密な計算ができるために、心臓脱分極過程における伝導異常や脱分極電流の分裂などを正確に求めることができる。
【００１７】
本発明によれば、心臓内の電流の分裂を判定する判定手段を備えることにより、心臓内の分裂を検知することができ、電流分裂のある患者に対する適切な診断が可能となる。
【００１８】
本発明によれば、心臓内の脱分極電流の終了を判断する判断手段を備えることにより、左室及び右室の脱分極時間の長さを別々に知ることができる。
【図面の簡単な説明】
【００１９】
【図１】本発明に係る心磁図装置を示す図である。
【図２】磁気センサアレイの実施形態の一例を示す図である。
【図３】心磁図装置が被験者に取り付けられる位置を示す図である。
【図４】本発明に係る心磁図装置のシステムを示すブロック図である。
【図５ａ】色付けを示す図であり磁気センサアレイのチャンネル番号を示す図である。
【図５ｂ】色付けを示す図であり色付けされる色体系を示す図である。
【図６ａ】健常な被験者の磁場波形を示す図であり各チャンネル番号の磁場波形を時間的にそろえて重ね書きしたものを示す図である。
【図６ｂ】健常な被験者の磁場波形を示す図であり赤の領域の磁場波形を示す図である。
【図６ｃ】健常な被験者の磁場波形を示す図であり緑の領域の磁場波形を示す図である。
【図６ｄ】健常な被験者の磁場波形を示す図であり青の領域の磁場波形を示す図である。
【図６ｅ】健常な被験者の磁場波形を示す図であり紫の領域の磁場波形を示す図である。
【図７ａ】心臓疾患のある被験者の磁場波形を示す図であり各チャンネル番号の磁場波形を時間的にそろえて重ね書きしたものを示す図である。
【図７ｂ】心臓疾患のある被験者の磁場波形を示す図であり赤の領域の磁場波形を示す図である。
【図７ｃ】心臓疾患のある被験者の磁場波形を示す図であり緑の領域の磁場波形を示す図である。
【図７ｄ】心臓疾患のある被験者の磁場波形を示す図であり青の領域の磁場波形を示す図である。
【図７ｅ】心臓疾患のある被験者の磁場波形を示す図であり紫の領域の磁場波形を示す図である。
【図８】（ａ）は本発明に係る心磁図装置の同期加算平均を示す図であり、(ｂ)は従来図の同期加算平均により得られる電流波形を示す図である。
【図９ａ】各時相における健常な被験者の心臓内に発生する電流を示す図でありＱＲＳが３５ｍｓにおける心臓内に発生する電流を示す図である。
【図９ｂ】各時相における健常な被験者の心臓内に発生する電流を示す図でありＱＲＳが６５ｍｓにおける心臓内に発生する電流を示す図である。
【図９ｃ】各時相における健常な被験者の心臓内に発生する電流を示す図でありＱＲＳが８０ｍｓにおける心臓内に発生する電流を示す図である。
【図９ｄ】各時相における健常な被験者の心臓内に発生する電流を示す図でありＱＲＳが１０５ｍｓにおける心臓内に発生する電流を示す図である。
【図１０ａ】各時相における電流分裂のある被験者の心臓内に発生する電流を示す図であり、ＱＲＳが４５ｍｓにおける心臓内に発生する電流を示す図である。
【図１０ｂ】各時相における電流分裂のある被験者の心臓内に発生する電流を示す図であり、ＱＲＳが６５ｍｓにおける心臓内に発生する電流を示す図である。
【図１０ｃ】各時相における電流分裂のある被験者の心臓内に発生する電流を示す図であり、ＱＲＳが７５ｍｓにおける心臓内に発生する電流を示す図である。
【図１０ｄ】各時相における電流分裂のある被験者の心臓内に発生する電流を示す図であり、ＱＲＳが８５ｍｓにおける心臓内に発生する電流を示す図である。
【発明を実施するための形態】
【００２０】
本発明に係る心磁図装置の好適な実施形態について図面を参照しながら説明する。図１は、本発明に係る心磁図装置、図４は本発明に係る心磁図装置のシステムを示すブロック図である。
【００２１】
本発明に係る心磁図装置１は、図１に示すように実施形態の一例として、装置全体が設置された磁気シールドルーム２と、心臓内に発生した電流に伴って発生する磁気を心臓全体が計測面に十分入る位置関係に設けられた複数個の磁気センサからなる磁気センサアレイ３と、被験者を横臥、或いは座位にするためのベッド６と、磁気センサアレイ３を駆動し該磁気センサアレイ３により得られた多チャンネル心磁図の磁場波形を計測する計測制御回路部７と、磁気センサアレイ３から得られた磁場波形を疑似電流波形に変換する第一のデータ処理部８と、磁気センサアレイ３から得られた磁場波形を収録し解析する第二のデータ処理部１０を収録する演算処理装置９と、磁場波形と疑似電流波形を含む心磁図データを時間的に重ね書きしたものを表示する表示手段１３と、心磁図データ等を記憶する記憶手段１２を備えている。
【００２２】
磁気シールドルーム２は、環境磁気雑音を除去するために設けられており、装置全体が磁気シールド内に設けられている。
【００２３】
磁気センサアレイ３は超電導状態で使用する場合、磁気センサアレイ３が収納され、液体ヘリウムを内填するデュワ４と、デュワ４を保持するガントリ５とを備えており、磁気センサには超電導材料が好適に用いられる。超伝導材料としては特に限定されないが、Ｎｂ（ニオブ）を用いることが好ましい。更に、磁気センサアレイ３の磁気センサは、光ポンピング式磁気センサから構成されていてもよい。この場合超電導とする必要がなく、常温で使用される。
【００２４】
磁気センサアレイ３は心臓内に発生した電流に伴って発生する磁気を測定する。磁気センサアレイ３は、実施形態の一例として図２に示すように８×８の格子状で等間隔に並んだ６４個の磁気センサから構成されており、夫々チャンネル番号を有している。例えば、各磁気センサアレイ間の距離を２．５ｃｍとした場合、計測面は１７．５ｃｍ×１７．５ｃｍとなる。ここで、図２に示すように、被験者の剣状突起を磁気センサアレイ３の下から２行目左から３列目（チャンネル番号は５１番、図３の斜線部分）に合わせることで、磁気センサアレイは、心臓全体が計測面に十分入る位置関係となる。
【００２５】
磁気センサアレイ３に設けられる磁気センサの数は２次元に複数配置されていればその数は特に限定されない。例えば、上述した６４個に限らず、磁気センサが２５個（５×５）や１００個（１０×１０）の格子状に設けられていてもよい。更に、磁気センサアレイは、磁気センサが格子状に設けられることに限定されず、例えば円状内に等間隔に設けられていてもよい。
【００２６】
磁気センサアレイ３により測定された心磁図データ（磁場波形）には、Ｐ波、ＱＲＳ波（Ｑ波、Ｒ波、Ｓ波）、ＳＴ部分、Ｔ波、Ｕ波等の波形が含まれており、心磁図装置１の記憶手段１２に記憶される。
【００２７】
デュワ４は、磁気センサアレイ３を冷却するために設けられており、磁気センサアレイ３を超電導状態となる温度で使用するために液体ヘリウムが内填されている。デュワ４はガントリ５により保持されている。
【００２８】
計測回路制御部７は、磁気センサアレイ３を駆動し該磁気センサアレイ３により得られた多チャンネル心磁図の磁場波形を計測する。
【００２９】
演算処理装置９は、磁気センサアレイ３から得られた磁場波形を疑似電流波形に変換する第一のデータ処理部８と、磁気センサアレイ３から得られた磁場波形を収録し解析する第二のデータ処理部１０を収録している。演算処理装置９はＣＰＵ等から構成されており、第一のデータ処理部８、第二のデータ処理部１０、色分け処理部１１、計測回路制御部７、表示手段１３、計算手段１４、判定手段１５、判断手段１６の各手段を実行する。記憶手段１２には、心磁図データ、色分けデータ、判定基準、判断基準等が記憶されている。
【００３０】
表示手段１３は、磁気センサアレイ３により得られた磁場波形を時間的に重ね書きしたものをモニタ等に表示する。また、第一のデータ処理部８により、多チャンネル心磁図の磁場波形から変換された疑似電流波形を時間的に重ね書きしたものをモニタ等に表示する。この場合、表示手段１３は、複数の多チャンネル心磁図データや、疑似電流波形を重ね書きして表示してもよく、特定のチャンネル番号における心磁図データや疑似電流波形の経時変化を重ね書きして表示してもよい。
【００３１】
本発明に係る心磁図装置１における演算処理装置９は、計測制御回路部７で記録された磁場波形または前記第一のデータ処理部８により解析された疑似電流波形を色分けする色分け処理部１１を収録してもよい。
図６、７は、磁気センサアレイ３により測定され、磁気センサアレイ３により得られた６４箇所の多チャンネル心磁図の心磁図データを表示手段１３により時間的にそろえて重ね書きしたものである。
【００３２】
これら６４本の波形は多くの場合に同様の時相で上下を繰り返すが、一部の波形で異なる応答を行うことがあり、その異なる応答が異常を表している。これまで、夫々の心磁図データを白黒による濃淡等の単純な重ね書きで表現すると、異常応答を見逃すこともあり、異常応答があることはわかっても、どの領域からの異常であるかは容易に判別することができなかった。
そこで、演算処理装置９に収録されている色分け処理部１１が磁気センサアレイ３の各チャンネル番号から得られる心磁図データを色分けデータにより色分けする。この色分けは、赤色、緑色、青色からなるＲＧＢカラーモデルによる輝度により表現され、磁気センサアレイ３の各センサの輝度は、最小を０、最大を１としたとき、図５の（ｂ）に示される色体系により表現する。
【００３３】
ここで、ＲＧＢカラーモデルにより表現される赤、緑、青の夫々の輝度により、実際に波形として表現される色は、赤の輝度が高い赤の領域（Ｒ）、緑の輝度が高い緑の領域（Ｇ）、青の輝度が高い青の領域（Ｂ）、青と赤の輝度が高い紫の領域（Ｖ）に分けることができる。
各々の色の領域に対応するチャンネル番号は、図５の（ｂ）に示すように、赤の領域が１、２、３、４、９、１０、１１、１２、１７、１８、１９、２５，２６、２７、３３、３４，３５、４１、４２であり、緑の領域が５，６，７，８、１３，１４，１５，１６、２２，２３，２４、３１，３２であり、青の領域が３９，４０、４７，４８、５５，５６、６３，６４であり、紫の領域が２０，２１，２８，２９，３０、３６，３７．３８、４３、４４、４５、４６、４９、５０、５１、５２、５３、５４、５７、５８、５９、６０、６１、６２である。
【００３４】
磁気センサアレイ３により測定された心磁図データを図５の（ｂ）に示すような色体系により表現することで、視認性が向上し、心磁図データから異常応答の検出や異常の生じた心臓の領域を容易に特定することができる。具体的には、心臓の脱分極過程が延長した場合、主としてどの領域の脱分極が遅延しているのか、また、心臓の再分極の不均一性についての情報等を容易に知ることができる。
【００３５】
図６は、健常な被験者の磁場波形を示す図であり、（ａ）は各チャンネル番号の磁場波形を時間的にそろえて重ね書きしたものを示す図であり、（ｂ）は赤の領域、（ｃ）は緑の領域、（ｄ）は青の領域、（ｅ）は紫の領域の磁場波形を示す図である。図７は、心臓疾患のある被験者の磁場波形を示す図であり、（ａ）は各チャンネル番号の磁場波形を時間的にそろえて重ね書きしたものを示す図であり、（ｂ）は赤の領域、（ｃ）は緑の領域、（ｄ）は青の領域、（ｅ）は紫の領域の磁場波形を示す図である。
ここで、Ｔ波の磁場波形について説明すると、図６に示されるように、健常な被験者の磁場波形は上下で略対称の磁場波形となっており、赤、青、紫の領域では上下に略対称、緑の領域は上向きの磁場波形となっている。図７に示されるように、心臓疾患のある被験者の磁場波形は上下で非対称の磁場波形となっており、緑と青の領域では下向き、紫の領域では上向きの磁場波形となっている。一方、赤の領域の磁場波形は、一旦下向きとなった後に上向きの波形を示している。従って、この領域の再分極が速まっており、再分極が不均一になっていることが分かる。
【００３６】
疑似電流の大きさを表す疑似電流波形のＱＲＳ波形は、３つの時相の波形に分けられ、それぞれが中隔（Ｑ波）、左心室（Ｒ波）、右心室（Ｓ波）の脱分極に相当する。３つの山の包絡線はそれぞれ対応する心室の領域の色で表示されるために、視認性が向上し測定箇所における脱分極の過程が正常であるか、又は異常であるかを容易に確認できる。具体的には、左心室の脱分極に長い時間がかかる場合には、２つ目の山（時間幅）が長く大きくなり、右心室に相当する色の線は隠されてしまうことから左心室の異常を確認できる。
【００３７】
次に磁場波形の解析方法について説明する。心磁図データから得られた磁場波形や疑似電流波形は、雑音が多くこのままでは解析が困難であるため、心臓調律の同じ時相を定義して、同期加算平均した波形を計算する必要があった。これまでの代表的な解析方法として、波形の頂点（最大値）の時刻を同期させる方法が使われているが、心臓内の伝導に異常がある場合には、頂点付近に多数の極大値があり、正確な同期ができなかった（図７の（ｂ）参照）。
【００３８】
本発明に係る心磁図装置１は、磁場波形または疑似電流波形を同期加算平均する計算手段１４を備えている。
磁気センサアレイ３により測定された磁場波形に含まれているＱＲＳ波は、心臓脱分極に相当する波形である。計算手段１４は、磁気センサアレイ３により測定された磁場波形に含まれているＱＲＳ波の相互相関関数を計算する。この磁場波形の相互相関関数が最大になる時間を用いて同期させることにより、同期加算平均を計算する（図７の（ａ）参照）。
【００３９】
これにより、より正確な磁場波形の同期加算平均が計算でき、解析の精度が向上する。更にＱＲＳ波の精密な計算ができるために、心臓脱分極過程における伝導異常や脱分極電流の分裂などを正確に求めることができる。
【００４０】
計算手段１４による同期加算平均を計算するにあたり、計測された心拍の中で調律の異なる異所性のものは同期加算の対象から除外する。具体的には、ＱＲＳ波の形状の異なるものを除外するが、加えてＰ波の形状の異なるものも除外してもよい。これにより、より正確な同期加算平均が計算できる。
【００４１】
心臓内に発生する電流の分裂を検知する方法について説明する。本発明に係る心磁図装置１は、心臓内に発生した電流の分裂を判定する判定手段１５を備えている。
【００４２】
磁気センサアレイ３により測定された６４箇所の多チャンネル磁場波形を第一のデータ処理部８により疑似電流波形に変換する。計算手段１４は第一のデータ処理部８により変換された疑似電流波形の同期加算平均を計算する。
表示手段１３は、得られた疑似電流波形の時系列に基づいて、心臓内で発生した電流の向きと電流量をベクトルでモニタに表示する。
ここで、心臓内で発生し、磁気センサアレイ３により得られた各チャンネル番号（６４箇所）における電流の電流値について、各時相における最大値と同程度の電流（例えば１〜５番目迄の電流）を主電流とし、電流値が主電流の６０％以上である電流を有効電流とする。
【００４３】
判定手段１５は、各時相における主電流及び有効電流について、以下の判定基準（１）〜（３）に基づいて、この何れかに相当する場合、心臓内で発生した電流が分裂していると判定する。
（１）主電流と有効電流のベクトルのなす角度が４５度以上である場合
（２）各主電流のベクトルの角度が４５度以上異なる場合
（３）各有効電流のベクトルの角度が４５度以上異なる場合
【００４４】
ここで、具体例を示して説明する。図８の（ａ）は健常者の、（ｂ）は電流分裂のある患者の各時相における、各チャンネルの電流の向き及び電流値を示している。ここで、各時相における疑似電流値の最大値を表に示す。表１は健常者について、表２は電流分裂のある患者についてである。
【００４５】
【表１】
2016101264.tif 000003
【００４６】
【表２】
2016101264.tif 000004
【００４７】
図９は、各時相における健常な被験者の心臓内に発生する電流を示す図であり、（ａ）はＱＲＳが３５ｍｓ、（ｂ）は６５ｍｓ、（ｃ）は８０ｍｓ、（ｄ）は１０５ｍｓにおける心臓内に発生する電流を示す図である。図１０は、各時相における電流分裂のある被験者の心臓内に発生する電流を示す図であり、（ａ）はＱＲＳが４５ｍｓ、（ｂ）は６５ｍｓ、（ｃ）は７５ｍｓ、（ｄ）は８５ｍｓにおける心臓内に発生する電流を示す図である。図９、及び１０に示される各時相における各チャンネルのベクトル表示において、主電流は太線のベクトル、有効電流は太さが中程度で矢先を塗りつぶしたベクトル、それ以外は細線のベクトルで表示している。
図９に示される健常な被験者の各時相の主電流及び有効電流のベクトルは、略同じ方向を示している。一方、図１０に示される電流分裂のある被験者の各時相の主電流及び有効電流のベクトルは、（ａ）、（ｄ）については略同一方向であるものの、（ｂ）、（ｃ）については、主電流と有効電流の各ベクトルのなす角、及び有効電流同士の各ベクトルのなす角が４５度以上となっている。従って、この結果が上述した判定基準に相当することから、心臓内で発生した電流が分裂していると判定することができる。
【００４８】
これにより、心臓内で発生する電流が病的による分裂であることを判定することが可能となる。具体的には、電流分裂のある患者は、重症心不全の治療法である心臓再同期療法の効果が見られず、予後も不良であることを予測できる。また、肥大型心筋症でも電流分裂によって致死的不整脈を起こすことを予測できる。
【００４９】
心臓内で発生する脱分極電流の終了を判断する方法について説明する。本発明に係る心磁図装置１は、心臓内に発生した脱分極過程の終了を判断する判断手段１６を備えている。
磁気センサアレイ３により測定された６４箇所の多チャンネル心磁図データ（磁場時間波形）に含まれているＱＲＳ波は、計測回路制御部７により疑似電流波形に変換される。
判断手段１６は、ＱＲＳ波の全時相の全チャンネルの中で最大のものを疑似電流波形の最大振幅とし、このＱＲＳ波の全時相について全チャンネルの中で疑似電流波形の最大振幅が６〜８％以下となる時点において、脱分極過程が終了したと判断する。
【００５０】
心磁図では空間分解能が良好なために、心臓の左室、右室のそれぞれどの部分で伝導が障害されることにより脱分極電流が遅延しているのかを知ることができる。更に、判断手段１６を備えることにより、脱分極電流が最終的に消失する部位と時刻を測定することができ、左室及び右室の脱分極過程がそれぞれどの程度続いているのかを知ることができる。特に、左室の脱分極電流の流れる時間の測定が可能となることで、左室の肥大や不整脈等を診断することが可能となる。
【産業上の利用可能性】
【００５１】
本発明に係る心磁図装置は、心臓疾患に関する診断をより正確にできるため、医療機関等で好適に利用される。
【符号の説明】
【００５２】
１    心磁図装置
２    磁気シールド
３    磁気センサアレイ
６    ベッド
７    計測回路制御部  
８    第一のデータ処理部
９    演算処理装置
１０  第二のデータ処理部
１１  色分け処理部
１３  表示手段  
１４  計算手段  
１５  判定手段  
１６  判断手段  
【図１】
2016101264.tif 000005
【図２】
2016101264.tif 000006
【図３】
2016101264.tif 000007
【図４】
2016101264.tif 000008
【図５ａ】
2016101264.tif 000009
【図５ｂ】
2016101264.tif 000010
【図６ａ】
2016101264.tif 000011
【図６ｂ】
2016101264.tif 000012
【図６ｃ】
2016101264.tif 000013
【図６ｄ】
2016101264.tif 000014
【図６ｅ】
2016101264.tif 000015
【図７ａ】
2016101264.tif 000016
【図７ｂ】
2016101264.tif 000017
【図７ｃ】
2016101264.tif 000018
【図７ｄ】
2016101264.tif 000019
【図７ｅ】
2016101264.tif 000020
【図８】
2016101264.tif 000021
【図９ａ】
2016101264.tif 000022
【図９ｂ】
2016101264.tif 000023
【図９ｃ】
2016101264.tif 000024
【図９ｄ】
2016101264.tif 000025
【図１０ａ】
2016101264.tif 000026
【図１０ｂ】
2016101264.tif 000027
【図１０ｃ】
2016101264.tif 000028
【図１０ｄ】
2016101264.tif 000029